(57)【要約】【課題】小さな伝送容量の伝送システムでもユーザが必要とするカメラの状態やシチュエーションの状態に合わせた良好な画質で画像を転送できる撮像システムの提供。【解決手段】通信手段を備えた撮像装置と通信手段を備えた情報処理装置が通信手段を用い接続された撮像システムにおいて、前記撮像装置は、撮影レンズにより投影された被写体像を撮像素子により電気信号に変換し映像信号として画像を出力する手段と出力された画像をトリミングする手段と画像を圧縮する手段と圧縮された画像データを保存する手段と画像を単位時間当たりに転送するフレーム数を制御する手段を有する構成である。前記情報処理装置には、圧縮された画像データを伸長する手段と複数の画像をオーバーラップさせる手段と画像を表示する手段を有する構成である。【選択図】図４
2006033160.tif 000002
【特許請求の範囲】
【請求項１】
通信手段を備えた撮像装置と通信手段を備えた情報処理装置が前記通信手段により接続された撮像システムにおいて、
前記撮像装置は、撮影レンズにより投影された被写体像を撮像素子により電気信号に変換し映像信号として画像を出力する手段と出力された画像をトリミングする手段と、画像を圧縮する手段と、圧縮された画像データを保存する手段と、画像を単位時間当たりに転送するフレーム数を制御する手段を有し、前記情報処理装置には、圧縮された画像データを伸長する手段と複数の画像をオーバーラップさせる手段と画像を表示する手段を設け、前記撮像装置にて撮影された画像を１つ以上の注目ウィンドウの画像とそれ以外の画像に分割し、画像毎の圧縮率を変更し圧縮処理することと画像毎のフレームレートを変えデータ転送を行い、前記情報処理装置にて注目ウィンドウの画像とそれ以外の画像を受信し、各画像を伸長しオーバーラップさせ表示させることを特徴とする撮像システム。
【請求項２】
撮影状態に応じて、注目ウィンドウとそれ以外の画像の圧縮率を変更し圧縮処理することとフレームレートを変えてデータ転送を行うことを特徴とする請求項１記載の撮像システム。
【請求項３】
ピントが合っていない状態では、全画像を高圧縮率で圧縮処理し、低フレームレートでデータ転送することを特徴とする請求項１又は２記載の撮像システム。
【請求項４】
合焦した状態では、注目ウィンドウの画像を低圧縮率で圧縮処理し低フレームレートでデータ転送し、それ以外の画像は高圧縮率で圧縮処理し、中フレームレートでデータ転送することを特徴とする請求項１又は２記載の撮像システム。
【請求項５】
ＡＦ（オートフォーカス）の状態では、フォーカスの評価値に応じて注目ウィンドウの画像を自動的に圧縮率・フレームレートを設定し、圧縮処理及びデータ転送し、それ以外の画像は高圧縮率で圧縮処理し、低フレームレートでデータ転送することを特徴とする請求項１又は２記載の撮像システム。
【請求項６】
ＡＥ（自動露出）の状態では、注目ウィンドウの画像を低圧縮率で圧縮処理し低フレームレートでデータ転送し、それ以外の画像は高圧縮率で圧縮処理し、低フレームレートでデータ転送することを特徴とする請求項１又は２記載の撮像システム。
【請求項７】
撮影装置をパーンさせた状態では、高圧縮率で画像処理し、低フレームレートでデータ転送することを特徴とする請求項１又は２記載の撮像システム。
【請求項８】
撮影準備が完了した状態では、注目ウィンドウの画像を低圧縮率で圧縮処理し低フレームレートでデータ転送し、それ以外の画像は中圧縮率で圧縮処理し、中フレームレートでデータ転送することを特徴とする請求項１又は２記載の撮像システム。
【請求項９】
撮影状態に重み付けを設定できるユーザインターフェースを有し、その重み付けによって全画像と注目ウィンドウの画像の圧縮率を変更し圧縮処理することとフレームレートを変えデータ転送を行うことを特徴とする請求項１又は２記載の撮像システム。
【請求項１０】
撮影状態に応じた全画像の圧縮率・フレームレートを設定できるユーザインターフェースを有することを特徴とする請求項１又は２記載の撮像システム。
【請求項１１】
撮影状態に応じた注目ウィンドウのサイズ・圧縮率・フレームレートを設定できるユーザインターフェースを有することを特徴とする請求項１又は２記載の撮像システム。
【請求項１２】
通信状態に応じて、注目ウィンドウのサイズを変更し、注目ウィンドウとそれ以外の画像の圧縮率を変更し圧縮処理することとフレームレートを変えデータ転送を行うことを特徴とする請求項１記載の撮像システム。
【請求項１３】
通信状態が良好で伝送容量が大きい状態では、注目ウィンドウの画像を低圧縮率で圧縮処理し中フレームレートでデータ転送し、それ以外の画像は中圧縮率で圧縮処理し、高フレームレートでデータ転送することを特徴とする請求項１又は１２記載のシステム。
【請求項１４】
通信状態が悪化し伝送容量が小さい状態では、注目ウィンドウの画像サイズを小さくし低圧縮率で圧縮処理し低フレームレートでデータ転送し、それ以外の画像は高圧縮率で圧縮処理し、中フレームレートでデータ転送することを特徴とする請求項１又は１２記載の撮像システム。
【請求項１５】
通信状態に応じた全画像の圧縮率・フレームレートを設定できるユーザインターフェースを有することを特徴とする請求項１又は１２記載の撮像システム。
【請求項１６】
通信状態に応じた注目ウィンドウのサイズ・圧縮率・フレームレートを設定できるユーザインターフェースを有することを特徴とする請求項１又は１２記載の撮像システム。
【請求項１７】
情報処理装置の状態に応じて、注目ウィンドウのサイズを変更し、注目ウィンドウとそれ以外の画像の圧縮率を変更し圧縮処理することとフレームレートを変えデータ転送を行うことを特徴とする請求項１記載の撮像システム。
【請求項１８】
撮影する場合、画像を低圧縮率で圧縮処理し、高精度の画像を記録し、データを転送することを特徴とする請求項１記載の撮像システム。
【発明の詳細な説明】
【技術分野】
【０００１】
本発明は、撮像システムの画像伝送制御に関するもの。
【背景技術】
【０００２】
近年、Ｗｅｂカメラ等のデジタルカメラやビデオカメラで通信機能を有する撮像装置と通信機能を有する情報処理装置が通信機能により接続され、ライブ画像の表示や画像ファイルの転送、リモートキャプチャ機能を実現している。
【０００３】
又、近年、固体撮像素子（ＣＣＤ等）の性能向上に伴い、出力された画像のサイズや、画面全体の単位時間当たりのフレーム数が増加している。これらの要因に伴って通信データ量も増加傾向にある。
【０００４】
【特許文献１】特開平１０−１５５１００号公報
【発明の開示】
【発明が解決しようとする課題】
【０００５】
伝送帯域幅が小さい伝送システムの場合、画像を符号化しデータ量を極力削減し低画像を転送するが、それでも全ての画像を転送できない伝送システムではコマ落とし画を転送していたが、動きの滑らかさが悪くなり、解像度も悪くなるといった問題が発生していた。この問題を解決するため、特開平１０−６６０７４号公報では、転送すべき画像情報の動き量を検出し、その検出結果に応じてコマ落とし画や間引き画を転送することが提案されていたが、ユーザが必要とする被写体周辺の画像が低精度なものになってしまう問題がある。
【０００６】
又、特開２０００−２１７１０８号公報では、画像の注目部分に高画質で伝送し、その他の部分を低画質で伝送するため、各部分の画像を符号化するデータ量を制御することが提案されていたが、カメラの状態やシチュエーションの状態によって、画質を切替えたいといった要望には対応できない。例えば、ピントが合っていない状態では低画像でもユーザには不快感を与えることがなく、フォーカスを開始し合焦した時点で捉えている被写体周辺の画像のみ高画質にすることによって、ユーザにはより素早くより鮮明に合焦したことを知らせるといった要望に対応できない。
【０００７】
又、伝送媒体が無線の場合、電波状態等によって伝送帯域幅が随時変化するが、ユーザが必要とする画像をダイナミックに伝送することができないといった問題がある。
【０００８】
更に、多機能な情報処理装置である場合、各種情報処理の状態等によって転送されたデータの処理速度が随時変化するが、ユーザが必要とする画像を撮像装置に要求し表示することができる。
【０００９】
本発明は、このような問題点を解決し、小さな伝送容量の伝送システムでもユーザが必要とするカメラの状態やシチュエーションの状態に合わせた良好な画質で画像を転送できる撮像システムを提供するものである。
【課題を解決するための手段】
【００１０】
通信手段を備えた撮像装置と通信手段を備えた情報処理装置が通信手段を用い接続された撮像システムにおいて、前記撮像装置は、撮影レンズにより投影された被写体像を撮像素子により電気信号に変換し映像信号として画像を出力する手段と出力された画像をトリミングする手段と画像を圧縮する手段と圧縮された画像データを保存する手段と画像を単位時間当たりに転送するフレーム数を制御する手段を有する構成である。前記情報処理装置には、圧縮された画像データを伸長する手段と複数の画像をオーバーラップさせる手段と画像を表示する手段を有する構成である。前記撮像装置にて撮影された画像を注目ウィンドウの画像とそれ以外の画像に分割し、画像毎の圧縮率を変更し圧縮処理することと画像毎のフレームレートを変えデータ転送を行い、前記情報処理装置にて注目ウィンドウの画像とそれ以外の画像を受信し、各画像を伸長しオーバーラップさせ表示させる。
【発明の効果】
【００１１】
本発明によれば、通信手段を有する撮像装置と通信手段を有する情報処理装置を通信手段を介して接続した撮像システムであって、通信状態・撮影状態等によって撮像画像から注目ウィンドウを生成し、ウィンドウ毎に圧縮率・フレームレートを変更することにより、ユーザがその場・そのシチュエーションで本来求めている高精度の画像を提供することができる。例えば、ピントが合っていない状態では低画像でもユーザには不快感を与えることはなく、フォーカスを開始し合焦した時点で捉えている被写体周辺の画像のみ高画質にすることによって、ユーザにはより素早く鮮明に合焦したことを知らせることが実現できる。
【００１２】
又、伝送帯域幅が小さいシステムの場合でも、限られた伝送容量を有効的に用いることにより、高画質な画像を転送し滑らかな動きを表現できる。更に、伝送媒体が無線の場合、電波状態等によって伝送帯域幅が随時変化するが、ユーザが必要とする画像をダイナミックに伝送することができる。
【００１３】
更に、多機能な情報処理装置である場合、各種情報処理の状態等によって転送されたデータの処理速度が随時変化するが、ユーザが必要とする画像を撮像装置に要求し表示することができる。
【発明を実施するための最良の形態】
【００１４】
以下に本発明の実施の形態を添付図面に基づいて説明する。
【００１５】
図５は本発明の撮像装置と情報処理装置との接続時の一構成図を表したものである。
【００１６】
５０３は撮像装置、５０４は情報処理装置である。撮像装置５０３は被写体５０１を撮影レンズにより投影し撮像素子により電気信号に変換し映像信号として画像を電子ビューファインダ（ＥＶＦ）５０２に表示している。又、通信手段５００はＲＳ２３２ＣやＵＳＢ、ＩＥＥＥ１３９４、モデム、ＬＡＮ等の有線通信、ＩｒＤＡ等の赤外線通信、Ｂｌｕｅｔｏｏｔｈ、８０２．１１ｂ等の無線通信等の各種通信機能を有するものであり、この通信手段を介し、画像を情報処理装置へ転送し、情報処理装置のディスプレイに表示する、又、情報処理装置から撮像装置に対し命令を送信することによってリモートキャプチャ機能を実現することができる。
【００１７】
図６は図５で表した情報処理装置の構成を示した図である。
【００１８】
６０７は情報処理装置であり、ＰＣやＰＤＡ、リモコン、携帯電話等である。
【００１９】
６０１は各種動作指示を入力するための操作手段であり、キーボードやマウス、タッチパネル等複数の組み合わせで構成される。６０２はＴＦＴ  ＣＲＴ等から成る画像表示部であり、画像データ等を表示する。撮像装置が撮像した画像データを遂時表示すれば、情報処理装置の電子ビューファインダー（ＥＶＦ）機能を実現することが可能である。
【００２０】
６０３は適応離散コサイン変換（ＡＤＣＴ）、ウェーブレット変換等により画像データを圧縮伸長する圧縮・伸長部であり、６０５では複数の画像データをオーバーラップさせる。６０６は通信相手に転送するフレームレートを制御することが可能である。
【００２１】
６０４は通信手段で、ＲＳ２３２ＣやＵＳＢ、ＩＥＥＥ１３９４、モデム、ＬＡＮ等の有線通信、ＩｒＤＡ等の赤外線通信、Ｂｌｕｅｔｏｏｔｈ、８０２．１１ｂ等の無線通信等の各種通信機能を有する構成の何れか又はそれらのうちの複数を備える構成でも良い。
【００２２】
図４は図５で表した撮像装置の一構成例を示したブロック図である。
【００２３】
１１は撮影レンズ、１２は絞り機能を備えるシャッター、１３は光学像を電気信号に変換する撮像素子、１５は撮像素子１３のアナログ信号出力をデジタル信号に変換するＡ／Ｄ変換器である。１４は撮像素子１３、Ａ／Ｄ変換器１５にクロック信号や制御信号を供給するタイミング発生回路であり、メモリ制御回路１７及びシステム制御３１により制御される。
【００２４】
１６は画像処理回路であり、Ａ／Ｄ変換器１５からのデータ或はメモリ制御回路１７からのデータに対して所定の画素補間処理や色変換処理を行う。又、画像処理回路１６においては、撮像した画像データを用いて所定の演算処理を行い、得られた演算結果に基づいてシステム制御回路３５が露光制御手段３１、測距制御手段３２に対して制御を行う、ＴＴＬ（スルー・ザ・レンズ）方式のＡＦ（オートフォーカス）処理、ＡＥ（自動露出）処理、ＥＦ（フラッシュプリ発行）処理を行っている。更に、撮像した画像データを用いて所定の演算処理を行い、得られた演算結果に基づいてＴＴＬ方式のＡＷＢ（オートホワイトバランス）処理も行っている。
【００２５】
１７はメモリ制御回路であり、Ａ／Ｄ変換器１５、タイミング発生回路１４、画像処理回路１６、画像表示回路１９、メモリ２０、圧縮・伸長回路２１を制御する。
【００２６】
画像表示回路１９，１８はＴＦＴ  ＬＣＤ等から成る画像表示部であり、メモリ２０に書き込まれた表示用の画像データをメモリ制御回路１７を介して画像表示部１８で表示される。画像表示部１８を用いて撮像した画像データを遂時表示すれば、電子ビューファインダー（ＥＶＦ）機能を実現することが可能である。
【００２７】
２０は撮影した静止画像や動画像を格納するためのメモリであり、所定枚数の静止画像や所定時間の動画像を格納するのに十分な記憶容量を備えている。これにより、複数枚の画像を連続して撮影する場合にも、高速且つ大量の画像書き込みをメモリ２０に対して行うことが可能となる。又、メモリ２０はシステム制御回路３５の作業領域としても使用することが可能である。
【００２８】
２１は適応離散コサイン変換（ＡＤＣＴ）、ウェーブレット変換等により画像データを圧縮伸長する圧縮・伸長回路であり、メモリ２０に格納された画像を読み込んで圧縮処理或いは伸長処理を行い、処理を終えたデータをメモリ２０に書き込む。
【００２９】
２３はメモリ２０に格納された画像をメモリ制御回路１７を介して画像表示１８するフレームレートを制御するフレームレート制御回路である。又、メモリ２０に格納された画像を通信回路２２を介して通信相手に転送するフレームレートを制御することが可能である。
【００３０】
３１は絞り機能を備えるシャッター１２を制御する露光制御手段であり、フラッシュ３４と連携することによりフラッシュ調光機能も有するものである。３２は撮影レンズ１１のフォーカシングを制御する測距制御手段、３３は撮影レンズ１１のズーミングを制御するズーム制御手段である。３４はフラッシュであり、ＡＦ補助光の投光機能、フラッシュ調光機能も有する。
【００３１】
３５は撮像装置全体を制御するシステム制御回路、３０はシステム制御回路３５の動作用定数、変数等を記憶するメモリである。２９はシステム制御回路３５の動作プログラムやパラメータ等を記憶する電気的に消去・記録可能な不揮発性メモリである。
【００３２】
２６，２７，２８はシステム制御回路３５の各種動作指示を入力するための操作手段であり、スイッチやダイヤル、タッチパネル等複数の組み合わせで構成される。
【００３３】
２２は通信手段で、ＲＳ２３２ＣやＵＳＢ、ＩＥＥＥ１３９４、モデム、ＬＡＮ等の有線通信、ＩｒＤＡ等の赤外線通信、Ｂｌｕｅｔｏｏｔｈ、８０２．１１ｂ等の無線通信等の各種通信機能を有する構成の何れか又はそれらのうちの複数を備える構成でも良い。
【００３４】
２５はメモリカードやハードディスク等の記録媒体である。
【実施例１】
【００３５】
以下、本発明の請求項１の実施例を図面及びフローチャートを参照して説明する。
【００３６】
図１は撮影した画像を電子ビューファインダ（ＥＶＦ）や撮像装置と接続した情報処理装置、例えばＰＣのディスプレイに表示したときのウィンドウの画面構成図である。注目ウィンドウ１００と注目以外のウィンドウ１０１と分割された構成になっており、ウィンドウ毎に異なる圧縮率で圧縮処理され且つ異なるフレームレートでデータ転送される。
【００３７】
図２−１及び図２−２は、撮影状態等に合わせ、ウィンドウ毎に圧縮率・フレームレートを変更する撮像装置・情報処理装置の動作をフローチャートで表したものであり、このフローチャートに沿って動作について詳しく説明する。
【００３８】
図２−１は撮像装置側の動作を示したフローチャートである。
【００３９】
撮像装置と情報処理装置を接続し、ＧＵＩ操作等によりユーザが通信をスタートさせると、ステップ２０１で示す通り、撮影画像を取得する。ステップ２０２にて撮影状態を取得・評価する。撮影状態にはフォーカス状態、露出状態、フラッシュプリ発行状態、ホワイトバランス状態、撮影画素数、画像圧縮率、情報処理装置からのオペレーション等を含む。評価によって、定常状態つまり撮像装置の操作がなく撮像した画像を表示する処理だけを行っている状態では、ステップ２０３にて撮像画像を中圧縮率にて画像圧縮し、ステップ２０４にて中フレームレートで転送する。
【００４０】
又、評価によって通信のレスポンスを重要視する場合、例えば撮影準備中等では、ステップ２０５にて撮像画像を高圧縮率にて画像圧縮し、ステップ２０６にて高フレームレートで転送する。更に、評価によって通信のレスポンスは重要視するが被写体周辺は高精度の画像が必要な場合、例えば撮影時等は、ステップ２０７にて撮像画像の全画面を転送するフレームなのか注目ウィンドウを転送するフレームなのかを判断する。全画面を転送するフレームの場合（［Ｙｅｓ］の場合）、ステップ２０８にて全画面を高圧縮率で圧縮し、ステップ２０９にてデータ転送する。
【００４１】
逆に注目ウィンドウを転送するフレームの場合（［Ｎｏ］の場合）、ステップ２１０にて撮像画像をウィンドウに合わせトリミングし、注目ウィンドウを生成する。ステップ２１１にて座標データを記憶しておく。ステップ２１２にて生成したウィンドウ画像を低圧縮率で圧縮し、ステップ２１３にてウィンドウ画像と座標データを転送する。又、全画像を転送するときは高フレームレートで、注目ウィンドウを転送するときは低フレームレートで転送するよう制御する。データ転送後はステップ２０１からの処理を繰り返す。又、各撮影状態を表すデータも転送する。
【００４２】
図２−２は情報処理装置側の動作を示したフローチャートである。
【００４３】
撮像装置と情報処理装置を接続し、ＧＵＩ操作等によりユーザが通信をスタートさせると、ステップ２２０で示す通り、撮影装置に対するオペレーションの有無を判断し、有れば（［Ｙｅｓ］の場合）オペレーションをステップ２２１で転送する。ステップ２２２にて、撮像装置からのデータを取得する。２２３にて取得したデータが全画面データか注目ウィンドウ・座標データなのかを判断する。全画面データの場合（［Ｙｅｓ］の場合）、ステップ２２４にてデータを伸長し、メモリ１にデータ保存する。注目ウィンドウの場合（［Ｎｏ］の場合）、ステップ２２５にてデータを伸長し、メモリ２にデータ保存する。ステップ２２６で状態を判断する。レスポンス重要視だが被写体周辺は高精度の画像が必要な状態の場合、メモリ２に保存されているウィンドウ画像を座標データを基に全画像にオーバーラップさせる。ステップ２２８で画像を表示させる。
【００４４】
図３は、図２−１及び図２−２で説明した撮像装置・情報処理装置の動作によるデータ転送のやり取りを示したシーケンス図である。
【００４５】
ステップ３０２では撮像装置と情報処理装置を接続し、ＧＵＩ操作等によりユーザが通信をスタートさせる。ステップ３０３では撮影状態が定常状態であるため、撮像装置３０１から情報処理装置３００へ中圧縮率で圧縮処理した撮像画像データを中フレームレートで転送する。ステップ３０５では、情報処理装置３００のＧＵＩ操作等によりユーザがリレーズの準備を開始させることにより、情報処理装置３００から撮像装置３０１へリレーズ準備開始したことを通知する。このとき、レスポンスを重要視する必要があるため、ステップ３０６では撮像装置３０１から情報処理装置３００へ高圧縮率で圧縮処理した撮像画像データを高フレームレートで転送する。
【００４６】
ステップ３０８では、撮像装置３０１のリレーズ準備が完了したことを撮像装置３０１から情報処理装置３００へ通知する。このとき、レスポンスは重要視するが被写体周辺は高精度の画像が必要であるため、ステップ３０９では高圧縮率で圧縮処理した全撮像画像データを転送する。３１０では低圧縮率で圧縮処理した注目ウィンドウ画像データを転送する。全撮像画像は中フレームレートで、注目ウィンドウは低フレームレートで転送する。
【００４７】
以上のように、撮影状態に合わせて撮像画像データの圧縮率を変更することと転送するフレームレートを変更することによって、通信の限られた伝送容量を有効的に使用することができ、撮像画像の動きを滑らかに表現しつつユーザが必要とする被写体周辺の画像は高精度で表現することができる。
【実施例２】
【００４８】
以下、本発明の請求項１２の実施例を図面及びフローチャートを参照して説明する。
【００４９】
図７は通信状態が変化すると、ダイナミックに伝送容量に応じた画像データの圧縮率やフレームレート、注目ウィンドウのサイズを算出し転送する処理を表したフローチャートの一例である。
【００５０】
通信状態が変化すると、ステップ７００では、通信状態をチェックする。通信不可の状態（［Ｎｏ］の場合）であれば、通信処理を終了する。通信可能の状態（［Ｙｅｓ］の場合）であれば、ステップ７０１で伝送容量を算出する。ステップ７０２では、伝送容量に応じた全画像データの圧縮率・フレームレートと注目ウィンドウのサイズ及び注目ウィンドウのデータの圧縮率・フレームレートを設定する。ステップ７０３では、全画像と注目ウィンドウを設定した圧縮率で画像処理し、ステップ７０４でフレームレートに合わせデータを転送する。
【００５１】
図８は、図７で説明した通信状態に応じて、ダイナミックに画像データの圧縮率やフレームレートや注目ウィンドウのサイズを変更する動作によるデータ転送のやり取りを示したシーケンス図である。
【００５２】
撮像装置８０１と情報処理装置８００とを接続するためネゴシエーションを行い、データ通信が可能で且つ電波状況等を含め通信状態が良好であると、伝送容量が上がるためステップ８０２では中圧縮率で処理した全画像データを高フレームレートで転送し、ステップ８０３では注目ウィンドウのサイズを拡大し、低圧縮率で処理した注目ウィンドウデータを中フレームレートで転送する。
【００５３】
電波状況が悪くなり通信状態が悪化すると伝送容量が下がるが、被写体周辺は高精度の画像が必要である場合、ステップ８０４では高圧縮率で処理した全画像データを中フレームレートで転送し、ステップ８０５では注目ウィンドウのサイズを縮小し、低圧縮率で処理した注目ウィンドウデータを低フレームレートで転送する。
【００５４】
以上のように、伝送媒体が無線の場合、電波状態等によって伝送帯域幅が随時変化するが、ユーザが必要とする画像をダイナミックに伝送することができる。
【実施例３】
【００５５】
以下、本発明の請求項１６の実施例をフローチャートを参照して説明する。
【００５６】
図９は情報処理装置の状態が変化すると、撮像装置に対し算出した伝送容量に応じた画像データの圧縮率やフレームレート、注目ウィンドウのサイズ等の変更要求をする処理を表したフローチャートの一例である。
【００５７】
ステップ９００では撮像装置から転送された画像データを取得し、ステップ９０１では情報処理装置内のバッファにデータを格納する。ステップ９０２ではデータを格納したバッファの状態をチェックし、バッファフルでないと判断した場合（［Ｎｏ］の場合）、ステップ９０４で圧縮され転送された画像データを伸長し、ステップ９０５では全画面画像に注目ウィンドウ画像をオーバーラップさせた画像を生成し、ステップ９０６では画像を情報処理装置の画像表示部に表示させる。ステップ９０２で、バッファフルであると判断した場合（［Ｙｅｓ］の場合）、ステップ９０３では注目ウィンドウのサイズ・圧縮率・フレームレート等を算出し、ステップ９０４では撮像装置に対し、算出した注目ウィンドウのサイズ・圧縮率・フレームレート等の変更要求を行う。
【００５８】
ここではデータを格納するバッファの状態を挙げたが、情報処理装置がＰＣであった場合、ＰＣのメモリの状態、ＨＤＤ等、大容量記録媒体の状態、撮像装置以外との通信の状態、ＣＰＵの処理状態等に応じて、注目ウィンドウのサイズ・圧縮率・フレームレート等を算出し、撮像装置に対し、算出した注目ウィンドウのサイズ・圧縮率・フレームレート等の変更要求を行う。
【００５９】
撮像装置は、情報処理装置からの要求に対し、撮像画像を要求の注目ウィンドウのサイズに合わせトリミング処理を行い、要求の圧縮率で圧縮処理し、要求のフレームレートでデータ転送を行う。
【００６０】
以上のように、多機能な情報処理装置である場合、各種情報処理の状態等によって転送されたデータの処理速度が随時変化するが、ユーザが必要とする画像を撮像装置に要求し表示することができる。
【図面の簡単な説明】
【００６１】
【図１】本発明の実施の形態のウィンドウ画面構成図である。
【図２−１】実施例１の撮像装置の動作手順を示すフローチャートである。
【図２−２】実施例１の情報処理装置の動作手順を示すフローチャートである。
【図３】実施例１の撮像装置・情報処理装置の動作によるデータ転送のやり取りを示したシーケンス図である。
【図４】本発明の構成を示した撮像装置のブロック図である。
【図５】本発明の構成を示した撮像装置と情報処理装置の接続図である。
【図６】本発明の構成を情報処理装置の構成図である。
【図７】実施例の撮像装置・情報処理装置の動作手順を示すフローチャートである。
【図８】実施例の撮像装置・情報処理装置の動作によるデータ転送のやり取りを示したシーケンス図である。
【図９】実施例の情報処理装置の動作手順を示すフローチャートである。
【符号の説明】
【００６２】
１１  撮影レンズ
１２  シャッター
１３  撮像素子
１４  タイミング発生回路
１５  Ａ／Ｄ変換器
１６  画像処理回路
１７  メモリ制御回路
１８  画像表示部
１９  画像表示回路
２０  メモリ
２１  画像圧縮・伸長回路
２２  通信手段
２３  フレームレート制御回路
２４  インターフェース
２９  ＲＯＭ
３０  ＲＡＭ
３１  露光制御手段
３２  測距制御手段
３３  ズーム制御手段
３４  フラッシュ
【図１】
2006033160.tif 000003
【図２−１】
2006033160.tif 000004
【図２−２】
2006033160.tif 000005
【図３】
2006033160.tif 000006
【図４】
2006033160.tif 000007
【図５】
2006033160.tif 000008
【図６】
2006033160.tif 000009
【図７】
2006033160.tif 000010
【図８】
2006033160.tif 000011
【図９】
2006033160.tif 000012